(57)【要約】      （修正有）【課題】木目をもって木の香りがし、表面の装飾性を向上させて、衛生的見地からしても好ましい封筒状の食品の包装袋体を提供する。【解決手段】木製薄板１で加工された包装袋体において、エゾマツ材、モミ材、ヒノキ材、スギ材、マツ材から選ばれた厚さ０．１〜２ｍｍの木製の薄平板の両面、又は片面に、ポリオレフィン系の極薄膜樹脂フイルム２を食品安全な接着剤５によって被覆させた自然木状表面を持つ擬似未加工状態の薄板１の一枚を異なる長さの寸法で折り重ねた二重薄板体、又は、二重薄板の間にマチを設けた二重薄板体にして、二重薄板体のみの両端、及びマチを設けたマチ入り二重薄板体を圧着して糊しろ蓋４付きの封筒状にしている。【選択図】図１
0003213295.tif 000002
【実用新案登録請求の範囲】
【請求項１】
木製薄板で加工された包装袋体において、エゾマツ材、モミ材、ヒノキ材、スギ材、マツ材から選ばれた厚さ０．１〜２ｍｍの木製の薄平板の両面、又は片面に、ポリオレフィン系の極薄膜フイルムを食品安全な接着剤によって被覆させた自然木状表面を持つ擬似未加工状態の薄板の一枚を異なる長さの寸法で折り重ねた二重薄板体、又は、二重薄板の間にマチを設けた二重薄板体にして、前記二重薄板体のみの両端、及びマチを設けたマチ入り二重薄板体を圧着して糊しろ蓋付封筒状にしていることを特徴する木製薄板使用の包装袋体。
【請求項２】
薄平板の表面を被覆する極薄膜フイルム品のポリオレフィンは、ポリエチレン、ポリプロピレン、ポリスチレンから選ばれた５〜２０ミクロン厚さの樹脂フイルムであって、前記フイルムの接着剤として天然系としてデンプン系多糖類、膠、また合成系として、ウレタン樹脂系、エポキシ樹脂、エチレンー酢酸ビニール樹脂系、酢酸ビニール樹脂系、オレフィン樹脂系、イソシアネート樹脂系で、使用状態として水性エマルジョン系、溶媒系、ホットメルト系であって、前記接着剤を１〜５ミクロンの厚さに塗布するか、又は両面テープにて接着して、前記塗布・接着面を加圧成形して、前記成形物における薄平板は両面、または片面に樹脂フイルムで被膜加工して、樹脂フイルム表面には木材の木目、節などの模様を鮮明に呈しているか、又は文字、絵柄、図形をＵＶ印刷させていることを特徴する請求項１に記載の木製薄板使用の包装袋体。
【請求項３】
前記二重薄板体の両端を圧着して糊しろ蓋付封筒状の包装袋体は、表面側には樹脂フイルム被膜した面を用いて、横１５０〜１０００ｍｍ、縦１５０〜５００ｍｍの封筒状で、糊しろ蓋は縦の幅の１／４〜１／２の長さにしており、マチを持つ場合には幅を５０〜５００ｍｍにして、前記薄板の一枚を異寸法で折り重ねた二重薄板体の両端、及びマチを設けたマチ入り二重薄板体の両端において圧着する接着面を３〜１００ｍｍ幅にしており、前記袋体容器内に１００〜２５００００ｍｌ容積の物品を収納できるようになっていることを特徴する請求項１又は請求項２に記載の木製薄板使用の包装袋体。
【考案の詳細な説明】
【技術分野】
【０００１】本考案は、木製薄板使用の物品包装袋体容器として樹脂フイルムによって処理した薄板を使用した糊しろ蓋付封筒状して、食品を収納できる容器にしたもので、更に薄板表面に、木目を浮き立たせて、木香りを持ち、汚れが付着しにくく、また文字、絵柄、図形を施して、衛生的な木の温もりを持つ木製薄板使用した包装袋体に関する。
【背景技術】
【０００２】従来、食事用具は、紙製、樹脂製、布製が一般であって、木製のものは少ない。薄板を使用したものとして、木目をもって木の香りがした食事用具の箸袋、テーブルマットにおいて、汚れの付着した部分を直接的に拭き取り、衛生的見地からしても好ましい木製薄板使用食事用具を提供するために、木製の薄板で加工された食事用具として、箸袋とテーブルマットにおいては、針葉樹林であるエゾマツ材、モミ材、ヒノキ材、スギ材、マツ材から選ばれた厚さ０．１〜１ｍｍの木製の薄平板の両面、又は片面に、ポリオレフィンの１０〜５０ミクロンのフイルム２で食品安全な接着剤によって接着被覆された擬似未加工状態の薄板を使用している木製薄板使用食事用具が提案されている（特許文献１参照）。【０００３】木目をもって木の香りがした物入れ用具の書類、文具、名刺、薄型小物、衣料を収納させる袋状物品入れにおいて、木目を浮き立たせて、木香りを持ち、汚れが付着しにくく、木製薄板で加工された物品入れ用具として、書類、文具、名刺、薄型小物、衣料を収納させる袋状物品入れにおいて、接着被覆された自然木状表面を持つ擬似未加工状態の薄板を使用している木製薄板で加工された物品入れ用具が提案されている（特許文献２参照）。【０００４】木質の折り畳み式平面状食品包装容器であって、蓋面部と、底面容器部との二枚の折り畳みによって包装容器になる０．２〜２ｍｍの厚さの薄板平板からなっており、蓋面部は、二箇所折りになって、中心部を底面容器部の中心食品収納部の大きさと同じ寸法にして、他の二箇所の両端部を底面容器部の側板高さと同じ高さになった形状にして、底面容器部は中心の長方形の四辺に折り曲げ可能な各側板部を持っており、長手方向の側板部には短手方向の側板を接着できるように三角形状の糊代部を４箇所に設けて、短手方向の二箇所の側板にはそれぞれ余足部を設けて、長方体の箱状容器を構成できるように組み立て時に折り曲げ可能な押圧溝を各箇所に付けた樹脂フイルム加工を両面、又は片面に施した二枚の平板薄板からなっている木質折り畳み式平面状食品包装容器が提案されている（特許文献３参照）。【０００５】木の香りとその殺菌性で衛生的な薄板木製の封筒状袋状は存在していない。また封筒状包装の表面には、木目を浮き立たせて、木香りを持ち、汚れが付着しにくくして、表面に好みの文字、絵柄、図柄をＵＶ印刷して、装飾性を高めたものは見当たらない。
【先行技術文献】
【特許文献】
【０００６】
【特許文献１】実用新案登録第３１９４３７６号公報
【特許文献２】実用新案登録第３１９５３０１号公報
【特許文献３】実用新案登録第３２０２９１０号公報
【考案の概要】
【考案が解決しようとする課題】
【０００７】しかしながら、上述した従来の木製箸袋とテーブルマットの食事用品にあっては、紙製、樹脂製、布製であって、しかし食品を直接収納する袋状容器は見当たらなく、容器においてそれ自身抗菌性もなく、また、食品からついた汁や汚れが飛び散らせることなく、また携帯することができるといった利点を有するものの、汚れの付着した食品を直接的に包み込むため、食品に汚れが付着し易いといった問題があり、さらに衛生的見地からしても好ましいものではなかった。【０００８】本考案はこのような従来の問題点に鑑みてなされたもので、料理を置いて飲食する場合に、木製薄板使用の包装袋体に汚れが付着しにくく、また、木の温もりと木の香りとその殺菌性で衛生的な封筒状袋容器の薄板木製の物品の収納容器で、汚れを簡単にふき取ることもできることが期待されている。
汚れ易い部分の箸袋、あるいは薄板表面本体を処分することができて、木製で木の香りをもって、衛生的な木製薄板使用の包装袋体を提供することを目的としたものである。
【課題を解決するための手段】
【０００９】木製薄板で加工された食品包装袋体容器において、エゾマツ材、モミ材、ヒノキ材、スギ材、マツ材から選ばれた厚さ０．１〜２ｍｍの木製の薄平板の両面、又は片面に、ポリオレフィン系の極薄膜フイルムを食品安全な接着剤によって被覆させた自然木状表面を持つ擬似未加工状態の薄板の一枚を異なる長さの寸法で折り重ねた二重薄板体、又は、二重薄板の間にマチを設けた二重薄板体にして、前記二重薄板体のみの両端、及びマチを設けたマチ入り二重薄板体を圧着して糊しろ蓋付封筒状にしている木製薄板使用の包装袋体である。【００１０】薄平板の表面を被覆する極薄膜フイルム品のポリオレフィンは、ポリエチレン、ポリプロピレン、ポリスチレンから選ばれた５〜２０ミクロン厚さの樹脂フイルムであって、前記フイルムの接着剤として天然系としてデンプン系多糖類、膠、また合成系として、ウレタン樹脂系、エポキシ樹脂、エチレンー酢酸ビニール樹脂系、酢酸ビニール樹脂系、オレフィン樹脂系、イソシアネート樹脂系で、使用状態として水性エマルジョン系、溶媒系、ホットメルト系であって、前記接着剤を１〜５ミクロンの厚さに塗布するか、又は両面テープにて接着して、前記塗布・接着面を加圧成形して、前記成形物における薄平板は両面、または片面に樹脂フイルムで被膜加工して、樹脂フイルム表面には木材の木目、節などの模様を鮮明に呈しているか、又は文字、絵柄、図形をＵＶ印刷させている。【００１１】前記二重薄板体の両端を圧着して糊しろ蓋付封筒状の食品包装袋体容器は、表面側には樹脂フイルム被膜した面を用いて、横１５０〜１０００ｍｍ、縦１５０〜５００ｍｍの封筒状で、糊しろ蓋は縦の幅の１／４〜１／２の長さにしており、マチを持つ場合には幅を５０〜５００ｍｍにして、前記薄板の一枚を異寸法で折り重ねた二重薄板体の両端、及びマチを設けたマチ入り二重薄板体の両端において圧着する接着面を３〜１００ｍｍ幅にしており、前記袋体容器内に１００〜２５００００ｍｌ容積の物品を収納できるようになっている。
【考案の効果】
【００１２】本考案は上述のように構成された木製薄板使用の包装袋体は、木香りを持つは木の香りがして、非常に新鮮味を持ち、また木質独自の防菌、殺菌作用によって非常に安全安心である。フイルム被覆加工しているために汚れを簡単にふき取ることもできる。袋状容器の全体を被装する封筒状容器本体で、食品を安全に包装できるものであり、表面にはＵＶ印刷などで、文字、絵柄、図柄を施して装飾袋として使用できる。【００１３】更に、木製薄板の包装袋体にて成形することによって、食品包装体ともに、清潔に箸を被装することができる衛生的な樹脂フイルム被覆木製シートを提供できるといった効果を奏する。また、本考案の木製薄板使用の食品、贈答品、家庭用品など包装袋体は、材料として安価な間伐材、廃材を使用できて、大量生産に適し、価格も低廉なものとして需要者に供給できる。
【図面の簡単な説明】
【００１４】
【図１】木製薄板使用の包装袋体の斜視図
【図２】フイルムで接着被覆された擬似未加工状態の薄板説明図。Ａ：フイルム被覆状態図  Ｂ：断面図
【図３】本考案に係る表面装飾状態の図。Ａ：木目、節  Ｂ：ＵＶ印刷
【図４】本考案に係る包装袋体の使用状態の図。
【図５】本考案に係るマチ入り包装袋体の斜視図。
【考案を実施するための形態】
【００１５】次に本考案に係る箸袋の実施の一例の図面を参照しながら説明する。図１は、木製薄板使用の包装袋体の斜視図、図２は、フイルムで接着被覆された擬似未加工状態の薄板説明図、図３は、本考案に係る表面装飾状態の図、図４は、本考案に係る包装袋体の使用状態の図、図５はマチ入り包装袋体の斜視図である。
【実施例１】
【００１６】図１に示すように、木製薄板で加工された包装袋体は、スギ材の厚さ０．３ｍｍの木製の薄平板の片面に、ポリオレフィンの極薄品のフイルムを食品安全な接着剤によって被覆させた自然木状表面を持つ擬似未加工状態の薄板の一枚を異寸法で折り重ねた二重薄板体にして、前記二重薄板体の両端を圧着して糊しろ蓋付封筒状にした。【００１７】図２に示すように、薄平板の表面を被覆する極薄品のポリオレフィンは、ポリエチレン１５ミクロン厚さの樹脂フイルムであり、前記フイルムの接着剤としてエチレンー酢酸ビニルコポリマーを５ミクロンの厚さに塗布して加圧成形して、薄平板を片面に樹脂フイルムで被膜処理して、樹脂フイルム表面には木材の木目、節などの模様を鮮明に呈して、その上に文字、絵柄をＵＶ印刷した。【００１８】前記二重薄板体の両端を圧着して糊しろ蓋付封筒状の包装袋体は、表面側に樹脂フイルム被膜した面を使用して、３００ｍｍ横、２００ｍｍ縦の封筒状で、糊しろ蓋に５０ｍｍ幅を設けており、前記薄板の一枚を異寸法で折り重ねた二重薄板体の両端を圧着する接着面を５ｍｍにしており、容積として１１０００ｍｌの食品を収納できるようになった。図４に示すように肉製品を収納して商品とした。
【実施例２】
【００１９】実施例１と同様にして、木製薄板で加工された食品包装袋体容器において、モミ材、厚さ０．５ｍｍの木製の薄平板の両面、又は片面に、ポリオレフィンの極薄品のフイルムを食品安全な接着剤によって被覆させた自然木状表面を持つ擬似未加工状態の薄板の一枚を異寸法で折り重ねた二重薄板体にして、前記二重薄板体の両端を圧着して糊しろ蓋付封筒状にした。【００２０】薄平板の表面を被覆する極薄品のポリオレフィンは、ポリエチレンで１５ミクロン厚さの樹脂製フイルムであって、前記フイルムの接着剤としてエチレンー酢酸ビニルコポリマーであって、５ミクロンの厚さに塗布して加圧成形して、薄平板を両面に樹脂フイルムで被膜処理して、樹脂フイルム表面には木材の木目、節などの模様を鮮明に呈しているか、又は文字、絵柄をＵＶ印刷した。【００２１】前記二重薄板体の両端を圧着して糊しろ蓋付封筒状の包装袋体は、表面側に樹脂フイルム被膜した面を使用して、４００ｍｍ横、２５０ｍｍ縦の封筒状で、糊しろ蓋に８０ｍｍ幅を設けており、前記薄板の一枚を異寸法で折り重ねた二重薄板体の両端を圧着する接着面を７ｍｍにしており、容積として約１０００ｍｌの食品を収納できるようになった。
【実施例３】
【００２２】木製薄板で加工された包装袋体において、ヒノキ材厚さ０．５ｍｍの木製の薄平板の両面に、ポリオレフィンの極薄品のフイルムを食品安全な接着剤によって被覆させた自然木状表面を持つ擬似未加工状態の薄板の一枚を異寸法で折り重ねた二重薄板体にして、前記二重薄板体の両端を圧着して糊しろ蓋付封筒状にした。【００２３】薄平板の表面を被覆する極薄品のポリオレフィンは、ポリエチレン１５ミクロン厚さの樹脂製フイルムであって、前記フイルムの接着剤として多糖類であって、１〜５ミクロンの厚さに塗布して加圧成形して、薄平板を両面に樹脂フイルムで被膜処理して、樹脂フイルム表面には木材の木目、節などの模様を鮮明に呈して、その上に文字と絵柄をＵＶ印刷した。【００２４】前記二重薄板体の両端を圧着して糊しろ蓋付封筒状の包装袋体は、表面側に樹脂フイルム被膜した面を使用して、３００ｍｍ横、２００ｍｍ縦の封筒状で、糊しろ蓋に１００ｍｍ幅を設けており、前記薄板の一枚を異寸法で折り重ねた二重薄板体の両端を圧着する接着面を７ｍｍにしており、容積として約８００ｍｌの食品を収納できるようになった。
【実施例４】
【００２５】図５に示すように木製薄板で加工されたマチ入り類似包装袋体において、ヒノキ材厚さ０．４ｍｍの木製の薄平板の両面に、ポリエチレンの極薄品のフイルムを食品安全な接着剤によって被覆させた自然木状表面を持つ擬似未加工状態の薄板の一枚を異寸法で折り重ねたマチ入り二重薄板体にして、前記マチ入りの薄板での二重薄板体の両端を圧着して、マチ入り袋体に糊しろ蓋付封筒状袋体にした。【００２６】薄平板の表面を被覆する極薄品のポリオレフィンは、ポリエチレン１５ミクロン厚さの樹脂製フイルムであって、前記フイルムの接着剤として多糖類であって、５ミクロンの厚さに塗布して加圧成形して、薄平板を両面に樹脂フイルムで被膜処理して、樹脂フイルム表面には木材の木目、節などの模様を鮮明に呈して、その上に文字と絵柄をＵＶ印刷した。【００２７】前記二重薄板体の両端を圧着して糊しろ蓋付封筒状の包装袋体は、表面側に樹脂フイルム被膜した面を使用して、５００ｍｍ横、３００ｍｍ縦、マチ幅１００ｍｍのマチ入り封筒状で、糊しろ蓋に２００ｍｍ幅を設けており、前記薄板を折り重ねたマチ入り二重薄板体の両端を圧着する接着面を１０ｍｍにしており、容積として約１５０００ｍｌの軽量物品を収納できるようになった。
【符号の説明】
【００２８】１．薄板
２．樹脂フイルム
３．封筒状
４．糊しろ蓋
５．接着剤
６．木目
７．節
８．ＵＶ印刷
９．包装袋体
１０．二重折り込み
１１．接着面
１２．マチ部
【図１】
0003213295.tif 000003
【図２】
0003213295.tif 000004
【図３】
0003213295.tif 000005
【図４】
0003213295.tif 000006
【図５】
0003213295.tif 000007